(57)【特許請求の範囲】
【請求項１】
片面に接着テープが取り付けられた帯状のゴム部品をパネル状のワーク面に貼着する治具であって、治具本体に前記接着テープを外側に向けてゴム部品をセットする溝を形成しこの溝にセットしたゴム部品を真空発生装置により吸引保持するゴム部品保持部と、前記ゴム部品保持部に保持されているゴム部品を前記ワーク面の所定部位に位置決めして貼着するために前記ワーク面に開設した位置決め基準穴に挿入する位置決めピンと、前記位置決め基準穴に位置決めピンをワーク面に対し直角な軸線方向に規制して案内する前記位置決め基準穴に着脱可能な筒状のガイド部材と、治具本体を操作する把手とを備えた構成を特徴とするゴム部品の貼着治具。
【発明の詳細な説明】
【０００１】
【発明の属する技術分野】
本発明は、帯状のゴム部品をパネル状のワーク面に正しく貼着するための治具に関するものである。
【０００２】
【従来の技術】
例えば、図７で示すように自動車のトランクリッド１１０の車体ヒンジ側の端縁１１ａには、トランクリッド１１０を閉じた状態で前記端縁１１ａと車体との間に形成される隙間を塞ぐためにウェザストリップの帯状のゴム部品７が貼着されている。このゴム部品７を貼着する作業の１例としてはトランクリッド１１０の車幅方向中心０−０から車幅左右端に向けて図８で示すように作業者がローラ１７によってゴム部品７を押さえ、ゴム部品７の裏面に取り付けられている両面接着テープで端縁１１ａに貼着している。
【０００３】
【発明が解決しようとする課題】
上記従来の貼着作業ではローラ１７によって帯状のゴム部品７をトランクリッド１１０の車幅方向中心０−０から車幅左右端に向けて押さえてゆくため、ゴム部品７はその長手方向に延伸し図８で示すようにゴム部品７の端部がトランクリッド１１０の左右端から延出Ｅしてしまい、これをカットする作業が必要で貼着作業能率に影響を及ぼしていた。また、ゴム部品７の貼着時の被貼着部位である端縁１１ａに対してローラ１７を一定に走らせることができる位置決めがなく、ゴム部品７が被貼着部位からズレて貼着される場合があり、さらには、ローラ１７によるゴム部品７の押さえ力を全長に渡って均等に作用させて万遍無く貼着するには作業者の熟練を要し、場合によっては貼着したゴム部品７の意匠面に波打ちが生じることもあり、このような場合には修正する作業が必要となり貼着作業能率や貼着品質に影響を及ぼしている。
【０００４】
本発明の目的とするところは、ゴム部品をワークの被貼着部位に正しく位置決めされ、かつ常に品質良好な貼着仕上がりを可能にしたゴム部品の貼着治具を提供することである。
【０００５】
【課題を解決するための手段】
上記の目的を達成するための本発明は、請求項１に記載の通り、片面に接着テープが取り付けられた帯状のゴム部品をパネル状のワーク面に貼着する治具であって、治具本体に前記接着テープを外側に向けてゴム部品をセットする溝を形成しこの溝にセットしたゴム部品を真空発生装置により吸引保持するゴム部品保持部と、前記ゴム部品保持部に保持されているゴム部品を前記ワーク面の所定部位に位置決めして貼着するために前記ワーク面に開設した位置決め基準穴に挿入する位置決めピンと、前記位置決め基準穴に位置決めピンをワーク面に対し直角な軸線方向に規制して案内する前記位置決め基準穴に着脱可能な筒状のガイド部材と、治具本体を操作する把手とを備えた構成を特徴とするものである。
【０００６】
【発明の実施の形態】
以下本発明の実施の形態を図面に基づいて説明する。図１及び図２において、１は治具本体である。この治具本体には、片面に接着テープ８が取り付けられた帯状のゴム部品７が前記接着テープ７を外側に向けて嵌め込む溝３が形成されており、この溝３に連通してゴム部品７を前記溝３に保持する真空発生装置１３を備えたゴム部品保持部２と、前記ゴム部品保持部２に保持されているゴム部品７をパネル状のワーク面１１の被貼着部位１１ａに位置決めするためにワーク面１１に少なくとも２箇所に開設されている位置決め基準穴１２へ挿入する位置決めピン９と、治具本体１を操作する把手１０とを備えた構成である。
【０００７】
前記溝３に真空発生装置１３を連通するには、溝３の長手方向の複数箇所に設けた通孔４にホース１４の接続具５を固定し、この接続具５と真空発生装置１３とをホース１４で接続した構造である。プ
【０００８】
さらに、本発明は図４及び図５で示すように、少なくとも一方の位置決め基準穴１２に位置決めピン９の姿勢をワーク面１１に対し直角な軸線方向に規制して案内する前記位置決め基準穴１２に着脱可能な筒状のガイド部材１５を備えた構造である。このガイド部材１５は位置決め基準穴１２に装着した時にワーク面１１に当接してワーク面１１対し直角な軸線方向に位置されるよう上端にフランンジ１６が形成されており、位置決め基準穴１２に装着固定するよう磁石材で形成することが望ましい。
【０００９】
本発明は上記の通りの構造であるから、治具本体１は作業者が把手１０によって手動操作する。そこで、ゴム部品７を溝３にセットするときは図３（Ａ）で示すように、溝３が上方に向くよう治具本体１を反転して真空発生装置１３を作動させて真空開始する。この真空発生装置１３の作動及び作動停止は図示省略しているが、把手１０の近傍に操作スイッチを設けておき、操作スイッチによって制御するようにしている。前記真空開始状態でゴム部品７に取り付けられている両面の接着テープ８を上向きにしてゴム部品７を溝３の上方に位置させることによりゴム部品７は真空吸引されて溝３内に容易にセットされる。
【００１０】
前記ゴム部品７を溝３内にセットした後に図３（Ｂ）で示すように、前記図３（Ａ）の状態から治具本体１を反転し、接着テープ８の離型紙を剥がして位置決めピン９をワーク面１１の位置決め基準穴１２に差し込む。これにより、ゴム部品保持部２に保持されているゴム部品７はワーク面１１の被貼着部位１１ａに位置決めされた状態で治具本体１の重量と作業者による治具本体１の押さえ力とによってゴム部品７は接着テープ８によってワーク面１１の被貼着部位１１ａに貼着する。
【００１１】
前記位置決めピン９をワーク面１１の位置決め基準穴１２に差し込むときにワーク面１１の肉厚が薄いため、位置決めピン９の軸線方向がワーク面１１に対し斜めに差し込まれる場合があり、この場合でもゴム部品７は不正な位置で貼着されるので、位置決めピン９の軸線方向をワーク面１１に対し直角になるよう差し込む必要がある。そのために請求項２に記載した構成、すなわち、ガイド部材１５を予め一方の位置決めピン９に装着し、あるいは位置決め基準穴１２に装着固定しておくことにより位置決めピン９の軸線方向は常にワーク面１１に対し直角に規制されゴム部品７はワーク面１１の被貼着部位１１ａに対し正しく、かつ精度良く位置決めされる。
【００１２】
前記ワーク面１１の被貼着部位１１ａにゴム部品７が貼着された後に真空発生装置１３の作動を停止させ、治具本体１をワーク面１１から外すことにより図３（Ｃ）で示すように、ゴム部品７はワーク面１１の被貼着部位１１ａに正しく貼着された状態で貼着作業を完了する。
【００１３】
本発明ではゴム部品７は溝３にセットし、この溝３内で真空吸引して保持されるため、長尺のゴム部品７の長手方向の姿勢にバラツキが生じることがなくワーク面１１の被貼着部位１１ａに貼着することができる。また、前記ゴム部品７をワーク面１１の被貼着部位１１ａに対する位置決めにより精度良く位置決めされて貼着される上に、ゴム部品７の上面から適度な押さえ力で全長に渡って均等に万遍無く貼着され、ゴム部品７はその長手方向に延伸することがなく、ゴム部品７の端部が被貼着部位１１ａの端からのはみだしや意匠面の波打ちが生じることなく常に品質良好な貼着仕上がりが得られる。
【００１４】
ゴム部品７を貼着するワーク面１１の被貼着部位１１ａの形状はワークの種類によって曲線面あるいは直線面と様々である。この形状に対応してゴム部品７を貼着するためには、ゴム部品保持部２を被貼着部位１１ａの形状に倣った形状とすることにより対応することができる。
【００１５】
尚、本発明は自動車のトランクリッド１１０にウェザストリップを貼着することに限定されるものではなく、他のパネル面に帯状のゴム部品を貼着する作業にも適用することが可能である。
【００１６】
【発明の効果】
以上のように本発明によると、長尺のゴム部品をワークの被貼着部位に正しく位置決めされ、かつ常に品質良好な貼着仕上がりを可能とすることにより、貼着後の修正作業が不要になり貼着作業能率を向上する利点がある。
【図面の簡単な説明】
【図１】  本発明の斜視図
【図２】  本発明の断面
【図３】  本発明の貼着作業工程の説明図
【図４】  本発明の位置決めピン部を示す斜視図
【図５】  本発明の位置決めピン差し込み状態の断面図
【図６】  本発明のゴム部品保持部の斜視図
【図７】  ゴム部品を貼着するワークの１例を示す平面図
【図８】  従来のゴム部品貼着作業の１例を示す斜視図
【符号の説明】
１      治具本体
２      ゴム部品保持部
３      溝
４      通孔
５      接続具
７      ゴム部品
８      接着テープ
９      位置決めピン
１０      把手
１１      ワーク面
１２      位置決め基準穴
１３      真空発生装置
１４      ホース
１５      ガイド部材
１６      フランジ
【図１】
0004108296.tif 000002
【図２】
0004108296.tif 000003
【図３】
0004108296.tif 000004
【図４】
0004108296.tif 000005
【図５】
0004108296.tif 000006
【図６】
0004108296.tif 000007
【図７】
0004108296.tif 000008
【図８】
0004108296.tif 000009